(57)【要約】【課題】パネル体と枠材の着脱を容易にすると共に、枠材同士の接合を容易に行えるようにした枠材同士の接合構造を提供すること。【解決手段】パネル体２０を着脱可能に保持する枠材１３，１５を交差して接合する枠材同士の接合構造において、枠材１３，１５は、両端にパネル体２０が挿入される保持用溝部２１ａ，２１ｂと、これら保持用溝部間にビスポケット３５，６５を具備する。少なくとも一方の枠材１５は、長手方向と直交する方向において基部材３０と蓋部材４０との２部材に分割され、蓋部材４０を貫通して基部材３０に締結される連結ボルト５０によって分解及び連結可能に形成される。枠材１５の端部小口面に側面視ハット状の接合金具７０の凸部７１を当接し、凸部７１を貫通する第１の固定ねじ８１をビスポケット３５に締結して固定し、接合金具７０の凹部７２を枠材１３の保持用溝部２１ａに挿入し、第２の固定ねじ８２を締結して固定する。【選択図】  図１３
2013231289.tif 000002
【特許請求の範囲】
【請求項１】
パネル体を着脱可能に保持する枠材を交差して接合する枠材同士の接合構造であって、
上記枠材は、両端に上記パネル体が挿入される保持用溝部と、これら保持用溝部間に固定具挿入部を具備し、
互いに接合される上記枠材同士の少なくとも一方は、長手方向と直交する方向において基部材と蓋部材との２部材に分割され、上記蓋部材を貫通して上記基部材に締結される連結部材によって分解及び連結可能に形成され、
一方の枠材の端部小口面に側面視ハット状の接合金具の凸部を当接し、上記凸部を貫通する第１の固定部材を上記固定具挿入部に締結して固定し、
上記接合金具の凹部を他方の枠材の上記保持用溝部に挿入し、第２の固定部材を締結して固定する、
ことを特徴とする枠材同士の接合構造。
【請求項２】
請求項１記載の枠材同士の接合構造において、
上記枠材の両端に設けられた上記保持用溝部が、互いに相反する方向に開口している、ことを特徴とする枠材同士の接合構造。
【請求項３】
請求項１記載の枠材同士の接合構造において、
上記枠材の両端に設けられた上記保持用溝部が、互いに直交方向に開口している、ことを特徴とする枠材同士の接合構造。
【請求項４】
請求項１ないし３のいずれかに記載の枠材同士の接合構造において、
上記保持用溝部の底部に上記パネル体及び接合金具の位置規制用の凸条を設ける、ことを特徴とする枠材同士の接合構造。
【発明の詳細な説明】
【技術分野】
【０００１】
この発明は、例えばパネル体を着脱可能に保持する枠材を交差して接合する枠材同士の接合構造に関するものである。
【背景技術】
【０００２】
従来、パネル体を着脱可能に保持する枠材として、枠材を構成する本体基部材の幅方向の中央部に突出された第１突出体の先端部に長手方向に沿う一対の嵌着突条に嵌着されるガスケット体と、嵌着突条の両側に突出される長手方向に沿う一対の突出体に嵌着されるライナとの間にパネル体である窓ガラスを挟持する構造が知られている（例えば、特許文献１参照）。
【０００３】
特許文献１に記載の構造によれば、ライナとガスケット体との間に窓ガラスを挟持した状態で、ガスケット体の外側にくさび体を圧入して窓ガラスの取付力を高めている。また、くさび体の圧入を解除した後、嵌着突条に嵌着されるガスケット体を嵌着突条に対して取り外し可能にしてパネル体を着脱可能にすることができる。
【０００４】
また、パネル体を保持する枠材の接合構造として、両端にパネル体である板材を着脱可能に保持する保持溝を有する断面Ｌ字状の第１の枠材と第２の枠材とを交差状に突き合わせた状態で、第１の枠材と第２の枠材の側面に設けられた凹溝を塞ぐＬ字状の固定金具にボルト挿通孔を設け、ボルト挿通孔を貫通するボルトを凹溝内に位置するナットに締結して両枠材を接合する構造が知られている（例えば、特許文献２参照）。
【先行技術文献】
【特許文献】
【０００５】
【特許文献１】特開平８−２６０８２７号公報（特許請求の範囲、図１１）
【特許文献２】特開２００５−３５０９６９号公報（図６）
【発明の概要】
【発明が解決しようとする課題】
【０００６】
しかしながら、特許文献１に記載の構造のものは、枠材を構成する本体基部材の長手方向に沿う第１突出体及び第２突出体にそれぞれカスケット体とライナを嵌着し、更にガスケット体の外側にくさび体を圧入してカスケット体とライナとの間にパネル体を挟持するため、構造が複雑な上、取付、取り外しが面倒となる懸念がある。また、特許文献１に記載のものにおいては枠材同士の接合に関しては言及されていない。
【０００７】
一方、特許文献２に記載のものは、パネル体を着脱可能に保持する枠材同士を交差状に接合することができる構造であるが、パネル体を取り付ける全ての枠材は、パネル体を保持する保持溝が一体に形成されているため、パネル体を保持した状態で枠材同士を接合する必要がある。また、パネル体を取り外す場合は、枠材同士の接合状態を解かなければパネル体を取り外すことができない。
【０００８】
ところで、パネル体にはガラス板の他に可撓性を有する例えばポリカーボネイト製のパネル体も使用されており、ポリカーボネイト製のパネル体においては曲面を持たせた取付が可能なため、特に、パネル体と枠材の取り付け・取り外しと枠材同士の接合を容易に行えるようにすることが望まれている。
【０００９】
この発明は、上記事情に鑑みてなされたもので、パネル体と枠材の着脱を容易にすると共に、枠材同士の接合を容易に行えるようにした枠材同士の接合構造を提供することを目的とする。
【課題を解決するための手段】
【００１０】
上記課題を解決するために、この発明は、パネル体を着脱可能に保持する枠材を交差して接合する枠材同士の接合構造であって、  上記枠材は、両端に上記パネル体が挿入される保持用溝部と、これら保持用溝部間に固定具挿入部を具備し、  互いに接合される上記枠材同士の少なくとも一方は、長手方向と直交する方向において基部材と蓋部材との２部材に分割され、上記蓋部材を貫通して上記基部材に締結される連結部材によって分解及び連結可能に形成され、  一方の枠材の端部小口面に側面視ハット状の接合金具の凸部を当接し、上記凸部を貫通する第１の固定部材を上記固定具挿入部に締結して固定し、  上記接合金具の凹部を他方の枠材の上記保持用溝部に挿入し、第２の固定部材を締結して固定する、ことを特徴とする（請求項１）。
【００１１】
このように構成することにより、枠材同士の少なくとも一方は、長手方向と直交する方向において基部材と蓋部材との２部材に分割され、蓋部材を貫通して基部材に締結される連結部材によって分解及び連結可能に形成されるので、パネル体の着脱を可能にすることができる。また、一方の枠材の端部小口面に側面視ハット状の接合金具の凸部を当接し、凸部を貫通する第１の固定部材を、保持用溝部間に設けられた固定具挿入部に締結して固定し、接合金具の凹部を他方の枠材の上記保持用溝部に挿入し、第２の固定部材を締結して固定することで、枠材同士の接合部に強度を持たせることができると共に、接合金具の外部への露呈を防止することができる。
【００１２】
この発明において、上記枠材の両端に設けられる上記保持用溝部を、互いに相反する方向に開口するか（請求項２）、あるいは、互いに直交方向に開口するのが好ましい（請求項３）。
【００１３】
枠材の両端に設けられる上記保持用溝部を、互いに相反する方向に開口することにより、接合される両枠材に保持されるパネル体を直線状に配置することができる（請求項２）。また、枠材の両端に設けられる上記保持用溝部を、互いに直交方向に開口することにより、接合される両枠材に保持されるパネル体を直交する方向に配置することができ、枠材とパネル体とでボックス状にすることができる。
【００１４】
加えて、この発明において、上記保持用溝部の底部に上記パネル体及び接合金具の位置規制用の凸条を設ける方が好ましい（請求項４）。
【００１５】
このように構成することにより、枠材を基部材と蓋部材との２部材に分割した場合、基部材と蓋部材の連結時又は分解時にパネル体が基部材から外方に外れるのを防止することができる。また、接合金具の位置決めを容易にすることができる。
【発明の効果】
【００１６】
この発明によれば、上記のように構成されているので、以下のような顕著な効果が得られる。
【００１７】
（１）請求項１〜３記載の発明によれば、パネル体と枠材の着脱を容易にすると共に、枠材同士の接合を容易かつ強固にすることができる。また、接合金具の外部への露呈を防止することができるので、外観の向上を図ることができる。
【００１８】
（２）請求項４記載の発明によれば、上記（１）に加えて、枠材を基部材と蓋部材との２部材に分割した場合、基部材と蓋部材の連結時又は分解時にパネル体が基部材から外方に外れるのを防止することができるので、パネル体の着脱作業の安全性が図れる。また、接合金具の位置決めを容易にすることができるので、枠材同士の接合作業を更に容易にすることができる。
【図面の簡単な説明】
【００１９】
【図１】この発明に係る枠材同士の接合構造を適用したベンチシートの一例を示す概略斜視図である。
【図２】上記ベンチシートの正面図である。
【図３】上記ベンチシートの平面図である。
【図４】上記ベンチシートの側面図である。
【図５】この発明における枠材の接合状態を示す側面図である。
【図６】図５のＩ−Ｉ線に沿う拡大断面図である。
【図７】この発明における枠材とパネル体を示す分解断面図である。
【図８】この発明における別の枠材とパネル体を示す拡大断面図である。
【図９】図８に示す別の枠材とパネル体を示す分解断面図である。
【図１０】この発明における枠材を構成する基部材と蓋部材の連結部を示す分解斜視図である。
【図１１】この発明における第１の枠材と第２の枠材の接合状態を示す断面図である。
【図１２】図１１のII−II線に沿う断面図である。
【図１３】上記第１の枠材と第２の枠材の接合部を示す分解斜視図である。
【図１４】この発明における第１の枠材同士の接合部を示す縦断面図である。
【図１５】上記第１の枠材同士の接合部を示す横断面図である。
【図１６】上記第１の枠材同士の接合部を示す分解斜視図である。
【発明を実施するための形態】
【００２０】
以下に、この発明に係る枠材同士の接合構造の実施形態を添付図面に基づいて詳細に説明する。ここでは、この発明に係る枠材同士の接合構造を例えばサッカー競技の選手の控えに使用するベンチシートに適用した場合について説明する。
【００２１】
上記ベンチシートは、図１ないし図４に示すように、互いに平行に対峙する一対の側桁材１と、両側桁材１の中間部に架設され、その上面に図示しないベンチを設置する中央桁材２と、両側桁材１の後端部側に架設される後部桁材３からなるベース部４を具備している。なお、ベース部４の下面には複数のキャスター５が装着されている。
【００２２】
また、ベンチシートは、ベース部４の両側桁材１の前端部に立設される一対の前縦枠材１１と、両前縦枠材１１の上端に接合される前上部枠材１２と、ベース部４の両側桁材１の後端側に立設される垂直部１３ａの上端から前部側に向かって屈曲する屈曲部１３ｂの先端が前上部枠材１２に接合される一対の後縦枠材１３と、後部桁材３に適宜間隔をおいて立設される垂直部１４ａの上端から前部側に向かって屈曲する屈曲部１４ｂの先端が前上部枠材１２に接合される複数（図では３本の場合を示す）の後中間縦枠材１４と、前縦枠材１１と両側の後縦枠材１３の垂直部１３ａに接合される横枠材１５と、後縦枠材１３と後中間縦枠材１４の垂直部１４ａに接合される後横枠材１６と、前縦枠材１１の下端と両側の後縦枠材１３の垂直部１３ａの下端に接合される下部横枠材１７と、を具備する。また、上記前縦枠材１１，前上部枠材１２，後縦枠材１３，後中間縦枠材１４，横枠材１５，後横枠材１６及び下部横枠材１７によって区画された部分には、例えばポリカーボネイト製の透明性のパネル体２０が各枠材に設けられた後述する保持用溝部２１ａ，２１ｂに着脱可能に保持されている。
【００２３】
次に、枠材同士の接合構造について説明する。各枠材同士の接合構造は基本的には第１の枠材と第２の枠材の接合と、第１の枠材同士の接合の２形態であり、各形態は同じであるので、ここでは、代表して横枠材１５（第１の枠材）と後縦枠材１３（第２の枠材）との接合構造と、後横枠材１６（第１の枠材）と後中間縦枠材１４（第１の枠材）との接合構造について説明する。
【００２４】
まず、横枠材１５と後縦枠材１３との接合構造について、図５ないし図１３を参照して説明する。横枠材１５は、図６ないし図１０に示すように、両端の相反する方向に開口され、パネル体２０が挿入される狭隘開口状の一対の保持用溝部２１ａ，２１ｂと、両保持用溝部２１ａ，２１ｂ間に固定具挿入部３５を具備している。また、横枠材１５は、長手方向と直交する方向において基部材３０と蓋部材４０との２部材に分割され、蓋部材４０を貫通して基部材３０にねじ結合によって締結される連結部材である連結ボルト５０によって分解及び連結可能に形成されている。なお、基部材３０はベンチシートの内側に配設され、蓋部材４０はベンチシートの外側に配設される。
【００２５】
この場合、基部材３０は例えばアルミニウム製の押出形材にて形成されており、垂直片３１の上下両端に保持用溝部２１ａ，２１ｂの一方の開口端縁を構成する水平片３２を有し、垂直片３１の内面側中間部に中空矩形状の取付部３３が隆起しており、取付部３３の中空部３４内の上下部に断面略Ｃ字状の固定具挿入部３５（以下に、ビスポケット３５という）が設けられている。また、取付部３３の先端の垂直壁３３ａは中間部に凹条３３ｂが設けられ、上下両端部には上下端に向かって下り勾配状の傾斜を有する傾斜段部３３ｃが設けられている。また、凹条３３ｂには長手方向に適宜間隔をおいて貫通孔３３ｄが設けられており、この貫通孔３３ｄにねじ受け部材３６が嵌着されている。なお、水平片３２の先端には、保持用溝部２１ａ，２１ｂ内に挿入されるパネル体２０に当接するパッキン３７が嵌着されている。
【００２６】
一方、蓋部材４０は例えばアルミニウム製の押出形材にて形成されており、垂直片４１の上下両端に保持用溝部２１ａ，２１ｂの他方の開口端縁を構成する水平片４２ｂを有し、垂直片４１の内面側中間部に、基部材３０の取付部３３に設けられた傾斜段部３３ｃに係合可能な凹条部４３が設けられ、凹条部４３には適宜間隔をおいて取付孔４４が設けられている。
【００２７】
上記のように形成される基部材３０と蓋部材４０とを連結するには、蓋部材４０の取付孔４４を貫通する連結ボルト５０を基部材３０の取付部３３に嵌着されたねじ受け部材３６にねじ結合して締結する。この際、基部材３０の水平片３２と蓋部材４０の水平片４２によって形成された保持用溝部２１ａ，２１ｂ内にパネル体２０を挿入して、基部材３０の水平片３２の先端部に嵌着されたパッキン３７をパネル体２０に密接した状態でパネル体２０を保持する。
【００２８】
また、パネル体２０を取り外す場合は、連結ボルト５０とねじ受け部材３６とのねじ結合を解除し、基部材３０と蓋部材４０とを分離することでパネル体２０を取り外すことができる。このようにパネル体２０を分離することができるので、特に夏場では一部のパネル体２０を取り外して風通しを良くすることができる。また、パネル体２０を、紫外線を吸収又はカットする例えばポリカーボネート等の樹脂製パネル体に交換して使用することもできる。更にまた、プロサッカーの競技においては、広告を掲載したパネル体を取り付けて宣伝効果を持たせることもできる。
【００２９】
なお、図８及び図９に示すように、保持用溝部２１ａ，２１ｂの底部を構成する基部材３０の取付部３３に、パネル体２０及び後述する接合金具７０の位置規制用の凸条３８を設けることにより、基部材３０と蓋部材４０の連結時又は分解時にパネル体２０が基部材３０から外方に外れるのを防止することができる。また、接合金具７０の位置決めを容易にすることができる。
【００３０】
上記後縦枠材１３はアルミニウム製押出形材にて形成されており、図１２及び図１３に示すように、両端に設けられた保持用溝部２１ａ，２１ｂが、互いに直交方向に開口する断面が略中空矩形状の枠材本体６１の中間部が２つの仕切壁６２によって区画された中空矩形状の取付部６３を有し、中空部６４内の両仕切壁６２に断面略Ｃ字状の固定具挿入部６５（以下に、ビスポケット６５という）が設けられている。
【００３１】
次に、横枠材１５と後縦枠材１３との接合について、図１１ないし図１３を参照して説明する。横枠材１５と後縦枠材１３とを接合する場合は、接合金具７０を用意する。接合金具７０は例えば鋼製部材やステンレス鋼製部材にて形成されており、凸部７１の両側に一対の凹部７２を有する側面視ハット状に形成されている。この場合、凸部７１の先端面部には２つの貫通孔７３が設けられ、両凹部７２には２つのねじ孔７４が設けられている。
【００３２】
横枠材１５と後縦枠材１３とを接合する場合は、まず、接合金具７０の凸部７１の先端面部を横枠材１５（具体的には基部材３０）の端部小口面に当接し、凸部７１に設けられた貫通孔７３を貫通する第１の固定部材であるタッピングねじにて形成される第１の固定ねじ８１をビスポケット３５ねじ結合により締結して、接合金具７０を横枠材１５（基部材３０）の端部小口面に固定する。
【００３３】
次に、接合金具７０の凹部７２を後縦枠材１３の一方の保持用溝部２１ａに挿入し、後縦枠材１３の保持用溝部２１ａの底部に設けられた貫通孔６６を貫通する第２の固定部材である第２の固定ねじ８２を凹部７２に設けられたねじ孔７４にねじ結合により締結して固定する。
【００３４】
上記のようにして、横枠材１５の基部材３０と後縦枠材１３とを接合した後、基部材３０の取付部３３の傾斜段部３３ｃに蓋部材４０の凹条部４３を係合させた状態で、蓋部材４０に設けられた取付孔４４を貫通する連結ボルト５０を基部材３０のねじ受け部材３６にねじ結合により締結して、基部材３０の水平片３２と蓋部材４０の水平片４２によって構成される保持用溝部２１ａ，２１ｂ内にパネル体２０を保持する。この際、パネル体２０は基部材３０の水平片３２に嵌着されたパッキン３７に密接された状態で保持される。
【００３５】
また、後縦枠材１３の保持用溝部２１ｂには保持用溝部２１ｂの一方の開口端縁に嵌着されるパッキン３７に密接した状態でパネル体２０が保持される（図１２の二点鎖線参照）。
【００３６】
上記のようにして接合された横枠材１５と後縦枠材１３によりパネル体２０を直交状に配置することができ、パネル体２０をボックス状に組み付けることができる。
【００３７】
次に、後横枠材１６と後中間縦枠材１４との接合について、図１４ないし図１６を参照して説明する。後横枠材１６と後中間縦枠材１４は、横枠材１５と同様に基部材３０と蓋部材４０との２分割部材にて構成されているので、同一部分には同一符号を付して説明は省略する。また、接合金具７０Ａは上記接合金具７０と同様に側面視ハット状に形成され、凹部７２にねじ孔７４に代えて取付孔７５を設ける以外は同じであるので、同一部分には同一符号を付して説明は省略する。
【００３８】
後横枠材１６と後中間縦枠材１４とを接合する場合は、まず、接合金具７０の凸部７１の先端面部を後横枠材１６（具体的には基部材３０）の端部小口面に当接し、凸部７１に設けられた貫通孔７３を貫通する第１の固定部材であるタッピングねじにて形成される第１の固定ねじ８１をビスポケット３５ねじ結合により締結して、接合金具７０を後横枠材１６（基部材３０）の端部小口面に固定する。
【００３９】
次に、接合金具７０の凹部７２を後中間縦枠材１４の一方の保持用溝部２１ａに挿入し、後中間縦枠材１４の保持用溝部２１ａの底部に当接した状態で、第２の固定部材であるタッピングねじにて第２の固定ねじ８２Ａが凹部７２に設けられた取付孔７５を貫通して後縦枠材１３の基部材３０に設けられた取付部３３にねじ結合により締結して固定する。
【００４０】
同様に別の後横枠材１６の基部材３０の端部小口面に接合金具７０Ａの凸部７１を固定した後、接合金具７０Ａの凹部７２を後中間縦枠材１４の他方の保持用溝部２１Ｂに固定して、１本の後縦枠材１３に２本の後中間縦枠材１４を接合する（図１５参照）。
【００４１】
上記のようにして、後横枠材１６の基部材３０と後中間縦枠材１４とを接合した後、基部材３０の取付部３３の傾斜段部３３ｃに蓋部材４０の凹条部４３を係合させた状態で、蓋部材４０に設けられた取付孔４４を貫通する連結ボルト５０を基部材３０のねじ受け部材３６にねじ結合により締結して、基部材３０の水平片３２と蓋部材４０の水平片４２によって構成される保持用溝部２１ａ，２１ｂ内にパネル体２０を保持する。この際、パネル体２０は基部材３０の水平片３２に嵌着されたパッキン３７に密接された状態で保持される。
【００４２】
上記のようにして接合された後横枠材１６と後中間縦枠材１４によりパネル体２０を直線（直列）状に配置することができ、パネル体２０を同一面上に組み付けることができる。
【００４３】
なお、上記説明では、後中間縦枠材１４が基部材３０と蓋部材４０の分割式の場合について説明したが、基部材３０と蓋部材４０とが一体の縦枠材であってもよい。
【００４４】
なお、この場合、後縦枠材１３の基部材３０の取付部３３における保持用溝部２１ａ，２１Ｂの底部を構成する部分に、パネル体２０及び接合金具７０Ａの位置規制用の凸条３８を設けることにより、基部材３０と蓋部材４０の連結時又は分解時にパネル体２０が基部材３０から外方に外れるのを防止することができる。また、接合金具７０Ａの位置決めを容易にすることができる（図１５参照）。
【００４５】
上記実施形態では、この発明に係る枠材同士の接合構造を例えばサッカー競技の選手の控えに使用するベンチシートに適用した場合について説明したが、この発明はこれに限定されるものではなく、その他のパネル体を着脱可能に保持する枠材同士の接合にも適用できることは勿論である。
【符号の説明】
【００４６】
１１  前縦枠材
１２  前上部枠材
１３  後縦枠材
１４  後中間縦枠材
１５  横枠材
１６  後横枠材
１７  下部横枠材
２０  パネル体
２１ａ，２１ｂ，２１Ｂ  保持用溝部
３０  基部材
３５  ビスポケット（固定具挿入部）
３６  ねじ受け部材
３８  位置規制用凸条
４０  蓋部材
４４  取付孔
５０  連結ボルト（連結部材）
７０，７０Ａ  接合金具
８１  第１の固定ねじ（第１の固定部材）
８２，８２Ａ  第２の固定ねじ（第２の固定部材）
【図１】
2013231289.tif 000003
【図２】
2013231289.tif 000004
【図３】
2013231289.tif 000005
【図４】
2013231289.tif 000006
【図５】
2013231289.tif 000007
【図６】
2013231289.tif 000008
【図７】
2013231289.tif 000009
【図８】
2013231289.tif 000010
【図９】
2013231289.tif 000011
【図１０】
2013231289.tif 000012
【図１１】
2013231289.tif 000013
【図１２】
2013231289.tif 000014
【図１３】
2013231289.tif 000015
【図１４】
2013231289.tif 000016
【図１５】
2013231289.tif 000017
【図１６】
2013231289.tif 000018